【手続補正書】
【提出日】平成17年2月4日(2005.2.4)
【手続補正１】
【補正対象書類名】特許請求の範囲
【補正対象項目名】全文
【補正方法】変更
【補正の内容】
【特許請求の範囲】
【請求項１】
a)少なくとも一種のエチレン‐ビニルアルコール共重合体、
b)少なくとも一種の酸化され得る酸無水物機能性ポリブタジエン、および
c)少なくとも一種の金属塩触媒
を含む酸素捕捉性重合体組成物。
【請求項２】
該酸化され得る酸無水物機能性ポリブタジエンが該重合体組成物中に実質的に均一に分布している粒子からなる、請求項１に記載の組成物。
【請求項３】
該酸化され得る酸無水物機能性ポリブタジエンが平均粒径が約10nm〜約5000nmの範囲にある粒子からなり、そして粒子が該重合体組成物中に実質的に均一に分布している、請求項１に記載の組成物。
【請求項４】
該金属塩触媒がカルボン酸金属塩である、請求項１に記載の組成物。
【請求項５】
該金属塩触媒が、酢酸、ステアリン酸、プロピオン酸、ヘキサン酸、オクタン酸、安息香酸、サリチル酸または桂皮酸の金属塩およびそれらの組合せからなる群から選ばれる、請求項１に記載の組成物。
【請求項６】
該金属塩触媒が、コバルト、銅またはルテニウムの酢酸塩、ステアリン酸塩、プロピオン酸塩、ヘキサン酸塩、オクタン酸塩、安息香酸塩、サリチル酸塩または桂皮酸塩およびそれらの組合せからなる群から選ばれる、請求項１に記載の組成物。
【請求項７】
塩基触媒をさらに含む請求項１に記載の組成物。
【請求項８】
エチレン‐ビニルアルコール共重合体がレトルト処理可能である、請求項１に記載の組成物。
【請求項９】
粘土をさらに含む請求項１に記載の組成物。
【請求項１０】
微小板の平均の厚さは約 1nm〜約 100nmの範囲にあり、そしてその平均の長さおよび幅はそれぞれ約50nm〜約 500nmの範囲にある粘土をさらに含む、請求項１に記載の重合体組成物。
【請求項１１】
その組成物が少なくとも一種のエチレン‐ビニルアルコール共重合体、少なくとも一種の酸化され得る酸無水物機能性ポリブタジエンおよび少なくとも一種のカルボン酸金属塩触媒のブレンド物を含む、請求項１に記載の重合体組成物。
【請求項１２】
その組成物が少なくとも一種のエチレン‐ビニルアルコール共重合体、少なくとも一種の酸化され得る酸無水物機能性ポリブタジエンおよび少なくとも一種のカルボン酸金属塩触媒の反応生成物を含む、請求項１に記載の重合体組成物。
【請求項１３】
a)少なくとも一種のエチレン‐ビニルアルコール共重合体、
b)少なくとも一種の酸化され得る酸無水物機能性ポリブタジエン、および
c)少なくとも一種の金属塩触媒
を含む重合体組成物の層を含む酸素バリヤー・フィルム。
【請求項１４】
配向されている請求項１３に記載の酸素バリヤー・フィルム。
【請求項１５】
その重合体組成物層の片側または両側上に熱可塑性重合体層をさらに含む請求項１３に記載の酸素バリヤー・フィルム。
【請求項１６】
該重合体組成物がさらに粘土を含む、請求項１３に記載の酸素バリヤー・フィルム。
【請求項１７】
a)少なくとも一種のエチレン‐ビニルアルコール共重合体、少なくとも一種の酸化され得る酸無水物機能性ポリブタジエン、および少なくとも一種の金属塩触媒を含む重合体組成物層、および
b)その重合体組成物層の片側または両側上の熱可塑性重合体層
を含む多層物品。
【請求項１８】
該熱可塑性重合体層がポリオレフィン、ポリエステルまたはポリカーボネートを含む、請求項１７に記載の多層物品。
【請求項１９】
該熱可塑性重合体層がポリエチレンテレフタレートを含む、請求項１７に記載の多層物品。
【請求項２０】
該熱可塑性重合体層と重合体組成物層が共押出成形、ラミネーションまたは共射出成形によりお互いに付着されている、請求項１７に記載の多層物品。
【請求項２１】
該重合体組成物層がさらに粘土を含む、請求項１７に記載の多層物品。
【請求項２２】
a)少なくとも一種のエチレン‐ビニルアルコール共重合体、
b)少なくとも一種の酸化され得る酸無水物機能性ポリブタジエン、および
c)少なくとも一種の金属塩触媒
を含む重合体組成物を含む成形物品。
【請求項２３】
該重合体組成物がさらに粘土を含む、請求項２２の記載の成形物品。
【請求項２４】
ボトルまたは容器の形状である請求項２２の記載の成形物品。
【請求項２５】
a)少なくとも一種のエチレン‐ビニルアルコール共重合体を融解する工程、
b)この融解した共重合体を、少なくとも一種の酸化され得る酸無水物機能性ポリブタジエンおよび少なくとも一種の金属塩触媒とブレンドして、それにより、エチレン‐ビニルアルコール共重合体、酸無水物機能性ポリブタジエンおよび金属塩触媒を含む混合物を調製する工程、および
c)その混合物を冷却する工程
を含む重合体組成物を製造する方法。
【請求項２６】
該エチレン‐ビニルアルコール共重合体と前混合された粘土を含む請求項２５に記載の方法。
【請求項２７】
a)少なくとも一種のエチレン‐ビニルアルコール共重合体を融解する工程、
b)この融解した共重合体を、少なくとも一種の酸化され得る酸無水物機能性ポリブタジエンおよび少なくとも一種の金属塩触媒とブレンドして、それにより、エチレン‐ビニルアルコール共重合体、酸無水物機能性ポリブタジエンおよび金属塩触媒を含む混合物を調製する工程、
c)その混合物を押出し、キャスティングまたはブロー成形してフィルムにする工程、および
d)そのフィルムを冷却する工程
を含む酸素バリヤー・フィルムを製造する方法。
【請求項２８】
該フィルムが続いて少なくとも一つの方向に配向される、請求項２７に記載の方法。
【請求項２９】
該エチレン‐ビニルアルコール共重合体と前混合された粘土を含む請求項２７に記載の方法。
【請求項３０】
a)少なくとも一種のエチレン‐ビニルアルコール共重合体、少なくとも一種の酸化され得る酸無水物機能性ポリブタジエンおよび少なくとも一種の金属塩触媒を含む組成物を融解する工程、
b)この組成物を押出し、キャスティングまたはブロー成形してフィルムにする工程、および
c)そのフィルムを冷却する工程
を含む酸素バリヤー重合体フィルムを製造する方法。
【請求項３１】
a)少なくとも一種のエチレン‐ビニルアルコール共重合体、少なくとも一種の酸化され得る酸無水物機能性ポリブタジエンおよび少なくとも一種の金属塩触媒を融解して、それにより、エチレン‐ビニルアルコール共重合体、酸無水物機能性ポリブタジエンおよび金属塩触媒を含む混合物を調製する工程、
b)熱可塑性重合体組成物を別個に融解する工程、
c)この混合物と熱可塑性重合体組成物を、共押出し、キャスティング、吹込み、熱成形、ブロー成形または共射出成型して多層物品にする工程、および
d)その物品を冷却する工程
を含む多層物品を製造する方法。
【請求項３２】
該物品がフィルム、ボトルまたは容器の形状である、請求項３１に記載の方法。
【請求項３３】
該物品が続いて少なくとも一つの方向に配向されるフィルムである、請求項３１に記載の方法。
【請求項３４】
該共重合体が該酸化され得る酸無水物機能性ポリブタジエンと混合される前に融解される、請求項３１に記載の方法。
【請求項３５】
該共重合体と該酸化され得る酸無水物機能性ポリブタジエンが混合された後に融解される、請求項３１に記載の方法。
【請求項３６】
そのエチレン‐ビニルアルコール共重合体と前混合された粘土を含む請求項３１に記載の方法。
【請求項３７】
a)少なくとも一種のエチレン‐ビニルアルコール共重合体、少なくとも一種の酸化され得る酸無水物機能性ポリブタジエンおよび少なくとも一種の金属塩触媒を融解して、それにより、エチレン‐ビニルアルコール共重合体、酸無水物機能性ポリブタジエンおよび金属塩触媒を含む混合物を調製する工程、
b)熱可塑性重合体組成物を別個に融解する工程、
c)この混合物と熱可塑性重合体組成物を共射出成形して多層プレ成形物にする工程、
d)このプレ成形物を再加熱する工程、および
e)このプレ成形物をブロー成形して多層物品にする工程
を含む多層物品を製造する方法。
【請求項３８】
請求項３７に記載の方法で調製された多層物品。
【請求項３９】
a)少なくとも一種のエチレン‐ビニルアルコール共重合体、
b)少なくとも一種の酸化され得る酸無水物機能性ポリブタジエン、および
c)少なくとも一種の金属塩触媒
から本質的になる酸素捕捉性重合体組成物。